(57)【特許請求の範囲】
【請求項１】
端末装置の表示部に、住宅を構成する部材に関する情報を表示させる住宅情報提供システムであって、
前記住宅を構成する部材毎に、当該部材に関する情報を含むウェブページを記憶するウェブページ記憶部と、
撮影レンズ及び撮影素子により被写体を撮影する撮影部と、
前記撮影レンズの向きを検出する検出部と、
前記住宅を構成する各部材について、前記住宅の居住空間内における３次元座標位置を記憶する位置情報記憶部と、
前記居住空間内におけるユーザの３次元座標位置を決定する位置決定部と、
前記撮影部が撮影した被写体の映像、及びこの被写体を撮影した時に前記検出部が検出した前記撮影レンズの向きを撮影方向として取得する取得部と、
前記位置決定部が決定したユーザの３次元座標位置から前記取得部が取得した撮影方向に前記撮影レンズを向けて前記撮影部が前記居住空間を撮影したと仮定して、前記撮影部により撮影され得る前記居住空間の範囲内に存在する部材及びその部材の前記表示部への表示位置を、前記位置情報記憶部に記憶されている各部材の３次元座標位置に基づいて決定する部材決定部と、
前記取得部が取得した前記映像を前記表示部に表示させるとともに、前記部材決定部が決定した各部材について、当該部材を表すアイコンを、前記映像に重ねて、当該部材の前記表示位置に表示させる第１表示制御部と、
前記第１表示制御部が前記表示部に表示させたアイコンの中から１つのアイコンを選択し、その選択したアイコンで表される部材に対して前記ウェブページ記憶部に記憶されているウェブページを前記表示部に表示させる第２表示制御部と
を備えることを特徴とする住宅情報提供システム。
【請求項２】
請求項１に記載の住宅情報提供システムであって、
前記住宅の設計図面を作成するためのＣＡＤ装置に通信可能に接続された位置情報生成部をさらに備え、
前記位置情報生成部が、
前記ＣＡＤ装置に記憶されている前記住宅を構成する各部材のデータを基に、それら部材の各々の３次元座標位置を決定し、
前記住宅を構成する部材毎に、当該部材と、当該部材について決定した３次元座標位置と、当該部材に関する情報を含む前記ウェブページ記憶部に記憶されたウェブページのＵＲＬとが関連付けされた部材情報を生成し、
前記位置情報記憶部が、
前記位置情報生成部で生成した前記住宅を構成する各部材の前記部材情報を記憶することを特徴とする住宅情報提供システム。
【請求項３】
請求項１又は２に記載の住宅情報提供システムであって、
前記住宅の居住空間内に設置されたエネルギーを消費する各部材のエネルギー消費量を管理するエネルギー管理部を備え、
前記第１表示制御部は、前記部材決定部が決定した部材が、エネルギーを消費する部材である場合、そのエネルギーを消費する部材について、エネルギー消費量を前記エネルギー管理部から取得し、取得したエネルギー消費量を、当該部材を表すアイコンと共に、当該部材の前記映像に重ねて前記表示部に表示させることを特徴とする住宅情報提供システム。
【請求項４】
請求項１乃至３のいずれか１つに記載の住宅情報提供システムであって、
前記位置決定部が、前記居住空間の少なくとも一部の見取り図を前記表示部に表示させて、前記見取り図内の１つの位置をユーザに選択させ、選択された前記見取り図内の１つの位置を基に、ユーザの３次元座標位置を決定することを特徴とする住宅情報提供システム。
【請求項５】
請求項４に記載の住宅情報提供システムであって、
前記位置決定部が、前記居住空間を構成する複数の部屋の中から１つの部屋をユーザに選択させるための画面を前記表示部に表示させ、選択された部屋の見取り図を前記表示部に表示させることを特徴とする住宅情報提供システム。
【請求項６】
請求項１乃至５のいずれか１つに記載の住宅情報提供システムであって、
前記ウェブページ記憶部に記憶されているウェブページには、部材の製造元が提供するウェブページへのリンクが貼られていることを特徴とする住宅情報提供システム。
【請求項７】
撮影レンズ及び撮影素子により被写体を撮影する撮影部と、前記撮影レンズの向きを検出する検出部とを有する端末装置の前記表示部に、住宅を構成する部材に関する情報を表示させる住宅情報提供方法であって、
前記住宅の居住空間内におけるユーザの３次元座標位置を決定する位置決定ステップと、
前記撮影部が撮影した被写体の映像、及びこの被写体を撮影した時に前記検出部が検出した前記撮影レンズの向きを撮影方向として取得する取得ステップと、
前記位置決定ステップで決定したユーザの３次元座標位置から前記取得ステップで取得した撮影方向に前記撮影レンズを向けて前記撮影部が前記居住空間を撮影したと仮定して、前記撮影部により撮影され得る前記居住空間の範囲内に存在する部材及びその部材の前記表示部への表示位置を、前記住宅を構成する各部材の３次元座標位置に関する情報に基づいて決定する部材決定ステップと、
前記取得ステップで取得した前記映像を前記表示部に表示させるとともに、前記部材決定ステップで決定した各部材について、当該部材を表すアイコンを、前記映像に重ねて、当該部材の前記表示位置に表示させる第１表示制御ステップと、
前記第１表示制御ステップにより前記表示部に表示させたアイコンの中から１つのアイコンを選択し、その選択したアイコンで表される部材に関する情報を含むウェブページを前記表示部に表示させる第２表示制御ステップとを含む
ことを特徴とする住宅情報提供方法。
【請求項８】
請求項７に記載の住宅情報提供方法の各ステップをコンピュータに実行させるための住宅情報提供プログラム。
【発明の詳細な説明】
【技術分野】
【０００１】
本発明は、住宅を構成する部材に関する情報を端末装置の表示部に表示させる住宅情報提供システム、住宅情報提供方法、及び、住宅情報提供プログラムに関する。
【背景技術】
【０００２】
近年、住宅の長寿命化に伴い、住宅のメンテナンスの重要性が高まってきており、このような住宅のメンテナンスにおいて必要となる情報を住宅の居住者に提供するためのシステムの開発が進められている。
【０００３】
例えば、特許文献１には、住宅を構成する各部材の部材情報、図面情報、及び履歴情報をそれぞれ記憶するデータベースと、ユーザインタフェース（住宅の居住者が閲覧可能な端末装置）からの情報の入力を受付けるとともに、ユーザインタフェースに対してデータベースに記憶された情報の中から必要な情報を選択して出力する制御手段と、を備える住宅維持管理情報提供システムが開示されている。
【０００４】
この特許文献１に開示の住宅維持管理情報提供システムにおいて、データベースには、部材情報が階層的に記憶されている。具体的には、住宅を構成する部屋毎に、当該部屋を構成する複数の上位部材に関する上位部材情報が記憶されている。そして、各上位部材について、当該上位部材の上位部材情報と関連付けて、その上位部材を構成する複数の下位部材に関する下位部材情報が記憶されており、さらに、各下位部材について、当該下位部材の下位部材情報と関連付けて、その下位部材のメンテナンスに必要なメンテナンス情報が記憶されている。そして、このようにデータベースに階層的に記憶された部材情報を基に、制御手段は、住宅を構成する部屋又は部材を段階的にユーザインタフェースに選択可能に出力する。例えば、まず、ユーザインタフェースに住宅の間取り図を、部屋又は上位部材の選択が可能な状態で表示し、そして、部屋又は上位部材が選択されると、選択された部屋又は上位部材の模式図を、その部屋又は上位部材を構成する下位部材を選択可能な状態で表示する。そして、下位部材が選択されると、その下位部材のメンテナンス情報をユーザインタフェースに出力する。
【０００５】
このような特許文献１に開示の住宅維持管理情報提供システムによれば、ユーザは、ユーザインタフェースに段階的に表示される住宅の間取り図、及び、部屋又は上位部材の構成図を基に、住宅を構成する膨大な数の部材の中から、１つの下位部材を簡単に選択することができ、その選択した下位部材のメンテナンス情報を参照することができる。
【先行技術文献】
【特許文献】
【０００６】
【特許文献１】特開２０１１−３１４３号公報
【発明の概要】
【発明が解決しようとする課題】
【０００７】
ところで、特許文献１に開示の住宅維持管理情報提供システムにおいて、ユーザインタフェースに表示される部屋又は上位部材の構成図は、その部屋又は上位部材を構成する各下位部材を模式的に示すものであり、構成図には多くの下位部材が示される。ユーザインタフェースである情報端末が小型化すると、表示される構成図のサイズも小さくなるが、このような場合には、その構成図内における下位部材の表記も小さくなるため、その構成図内のどこに所望の下位部材が表記されているのかを把握することが難しくなる。この結果、メンテナンス情報の提供を望む下位部材の選択が難しくなる傾向があった。
【０００８】
そこで、上記したような端末装置の表示部に住宅を構成する部材に関する情報を表示させる住宅情報提供システムにおいて、ユーザが部材を選択する選択操作の簡易化が求めらていた。
【０００９】
本発明は、このような状況に鑑みてなされたものであり、住宅を構成する部材に関する情報の端末装置への表示において、ユーザが簡単に所望の部材を選択して、その部材に関する情報を得ることができる住宅情報提供システム、住宅情報提供方法、又は住宅情報提供プログラムを提供することを目的とする。
【課題を解決するための手段】
【００１０】
本発明に係る住宅情報提供システムは、端末装置の表示部に、住宅を構成する部材に関する情報を表示させる住宅情報提供システムであって、前記住宅を構成する部材毎に、当該部材に関する情報を含むウェブページを記憶するウェブページ記憶部と、撮影レンズ及び撮影素子により被写体を撮影する撮影部と、前記撮影レンズの向きを検出する検出部と、前記住宅を構成する各部材について、前記住宅の居住空間内における３次元座標位置を記憶する位置情報記憶部と、前記居住空間内におけるユーザの３次元座標位置を決定する位置決定部と、前記撮影部が撮影した被写体の映像、及びこの被写体を撮影した時に前記検出部が検出した前記撮影レンズの向きを撮影方向として取得する取得部と、前記位置決定部が決定したユーザの３次元座標位置から前記取得部が取得した撮影方向に前記撮影レンズを向けて前記撮影部が前記居住空間を撮影したと仮定して、前記撮影部により撮影され得る前記居住空間の範囲内に存在する部材及びその部材の前記表示部への表示位置を、前記位置情報記憶部に記憶されている各部材の３次元座標位置に基づいて決定する部材決定部と、前記取得部が取得した前記映像を前記表示部に表示させるとともに、前記部材決定部が決定した各部材について、当該部材を表すアイコンを、前記映像に重ねて、当該部材の前記表示位置に表示させる第１表示制御部と、前記第１表示制御部が前記表示部に表示させたアイコンの中から１つのアイコンを選択し、その選択したアイコンで表される部材に対して前記ウェブページ記憶部に記憶されているウェブページを前記表示部に表示させる第２表示制御部とを備えることを特徴とする。
【００１１】
この構成によれば、撮影部が撮影した被写体の映像に重ねて、部材を表すアイコンを端末装置の表示部に表示させることができる。例えば、撮影部により撮影した部材の映像に重ねて、その部材（即ち、撮影部で撮影された部材）を表すアイコンを端末装置の表示部に表示させることができ、その表示部に表示させたアイコンの選択操作に応じて、その選択されたアイコンで表される部材の情報を含むウェブページを表示部に表示させることができる。このため、ユーザは、情報提供を要する部材を、撮影部で撮影し、その撮影した部材の映像に重ねて端末装置の表示部に表示されたアイコンを選択するだけで、その部材に関する情報を参照することができる。つまり、本構成によれば、ユーザは、情報提供を要する部材を簡単に選択することができる。なお、本発明において、「部材」との用語には、住宅の建物の建築に用いる建材の他、照明器具、空調設備、及びキッチンセット等の住宅の居住空間内に設置された設備、家具、及び什器等を含むものとする。
【００１２】
本発明に係る住宅情報提供システムにおいて、前記住宅の設計図面を作成するためのＣＡＤ装置に通信可能に接続された位置情報生成部をさらに備え、前記位置情報生成部が、
前記ＣＡＤ装置に記憶されている前記住宅を構成する各部材のデータを基に、それら部材の各々の３次元座標位置を決定し、前記住宅を構成する部材毎に、当該部材と、当該部材について決定した３次元座標位置と、当該部材に関する情報を含む前記ウェブページ記憶部に記憶されたウェブページのＵＲＬとが関連付けされた部材情報を生成し、前記位置情報記憶部が、前記位置情報生成部で生成した前記住宅を構成する各部材の前記部材情報を記憶してもよい。
【００１３】
この構成によれば、ＣＡＤ装置に記憶されているデータを基に、位置情報記憶部に記憶させる各部材の３次元位置情報を自動生成することができる。
【００１４】
また、本発明に係る住宅情報提供システムにおいて、前記住宅の居住空間内に設置されたエネルギーを消費する各部材のエネルギー消費量を管理するエネルギー管理部を備え、前記第１表示制御部は、前記部材決定部が決定した部材が、エネルギーを消費する部材である場合、そのエネルギーを消費する部材について、エネルギー消費量を前記エネルギー管理部から取得し、取得したエネルギー消費量を、当該部材を表すアイコンと共に、当該部材の前記映像に重ねて前記表示部に表示させてもよい。
【００１５】
この構成によれば、撮影部で撮影した部材のエネルギー消費量を、撮影した部材の映像に重ねて端末装置の表示部に表示させることができるから、ユーザは、撮影部で部材を撮影するだけで、その部材のエネルギー消費量を知ることができる。
【００１６】
また、本発明に係る住宅情報提供システムにおいて、前記位置決定部は、前記居住空間の少なくとも一部の見取り図を前記表示部に表示させて、前記見取り図内の１つの位置をユーザに選択させ、選択された前記見取り図内の１つの位置を基に、ユーザの３次元座標位置を決定してもよい。この場合、前記位置決定部は、前記居住空間を構成する複数の部屋の中から１つの部屋をユーザに選択させるための画面を前記表示部に表示させ、選択された部屋の見取り図を前記表示部に表示させてもよい。
【００１７】
この構成によれば、住宅の居住空間内にいるユーザの位置を正確に把握することができるため、撮影部が実際に撮影した部材と、部材決定部が決定した部材（即ち、表示部にアイコンが示される部材）とを確実に一致させることができる。
【００１８】
また、本発明に係る住宅情報提供システムにおいて、前記ウェブページ記憶部に記憶されているウェブページには、部材の製造元が提供するウェブページへのリンクが貼られていてもよい。
【００１９】
この構成によれば、部材の製造元のウェブサイトへ容易に接続して、その製造元が提供する部材の情報を確認することができる。
【００２０】
また、本発明に係る住宅情報提供方法は、撮影レンズ及び撮影素子により被写体を撮影する撮影部と、前記撮影レンズの向きを検出する検出部とを有する端末装置の前記表示部に、住宅を構成する部材に関する情報を表示させる住宅情報提供方法であって、前記住宅の居住空間内におけるユーザの３次元座標位置を決定する位置決定ステップと、前記撮影部が撮影した被写体の映像、及びこの被写体を撮影した時に前記検出部が検出した前記撮影レンズの向きを撮影方向として取得する取得ステップと、前記位置決定ステップで決定したユーザの３次元座標位置から前記取得ステップで取得した撮影方向に前記撮影レンズを向けて前記撮影部が前記居住空間を撮影したと仮定して、前記撮影部により撮影され得る前記居住空間の範囲内に存在する部材及びその部材の前記表示部への表示位置を、前記住宅を構成する各部材の３次元座標位置に関する情報に基づいて決定する部材決定ステップと、前記取得ステップで取得した前記映像を前記表示部に表示させるとともに、前記部材決定ステップで決定した各部材について、当該部材を表すアイコンを、前記映像に重ねて、当該部材の前記表示位置に表示させる第１表示制御ステップと、前記第１表示制御ステップにより前記表示部に表示させたアイコンの中から１つのアイコンを選択し、その選択したアイコンで表される部材に関する情報を含むウェブページを前記表示部に表示させる第２表示制御ステップとを含むことを特徴とする。
【００２１】
この方法によれば、端末装置の撮影部が撮影した被写体の映像に重ねて、部材を表すアイコンを端末装置の表示部に表示させることができる。例えば、端末装置の撮影部が撮影した部材の映像に重ねて、その部材（即ち、撮影部で撮影された部材）を表すアイコンを端末装置の表示部に表示させることができ、その表示部に表示させたアイコンの選択操作に応じて、その選択されたアイコンで表される部材の情報を含むウェブページを表示部に表示させることができる。このため、ユーザは、情報提供を要する部材を、端末装置の撮影部で撮影し、その撮影した部材の映像に重ねて端末装置の表示部に表示されたアイコンを選択するだけで、その部材に関する情報を参照することができる。つまり、本方法によれば、ユーザは、情報提供を要する部材を簡単に選択することができる。
【００２２】
また、本発明の住宅情報提供方法は、その各ステップをコンピュータに実行させるための住宅情報提供プログラムとして実現することができる。
【発明の効果】
【００２３】
本発明の住宅情報提供システム、住宅情報提供方法、又は住宅情報提供プログラムによれば、ユーザは、情報提供を要する部材を、撮影部で撮影し、その撮影した部材の映像に重ねて端末装置の表示部に表示されたアイコンを選択するだけで、その部材に関する情報を参照することができる。つまり、住宅を構成する部材に関する情報の端末装置への表示に際し、ユーザは、簡単に所望の部材を選択して、その部材に関する情報を得ることができる。
【図面の簡単な説明】
【００２４】
【図１】図１は、本実施の形態に係る住宅情報提供システムの全体の概略構成を示す構成図である。
【図２】図２は、本実施の形態に係る住宅情報提供システムの位置情報記憶部に記憶される部材情報の構成例を示す説明図である。
【図３】図３は、本実施の形態に係る住宅情報提供システムの端末装置の概略構成を示す構成図である。
【図４】図４は、本実施の形態に係る住宅情報提供システムで実施される住宅情報提供方法の動作の流れを示すフローチャートである。
【図５】図５は、図４に示す住宅情報提供方法における位置決定動作の処理の流れを示すフローチャートである。
【図６】図６は、本実施の形態に係る住宅情報提供システムにおいて、端末装置に表示させる起動画面の一例を示す説明図である。
【図７】図７は、本実施の形態に係る住宅情報提供システムにおいて、端末装置に表示させるフロア選択画面の一例を示す説明図である。
【図８】図８は、本実施の形態に係る住宅情報提供システムにおいて、端末装置に表示させる部屋選択画面の一例を示す説明図である。
【図９】図９は、本実施の形態に係る住宅情報提供システムにおいて、端末装置に表示させる位置設定画面の一例を示す説明図である。
【図１０】図１０は、本実施の形態に係る住宅情報提供システムにおいて、端末装置に表示させる映像表示画面の一例を示す説明図である。
【図１１】図１１は、本実施の形態に係る住宅情報提供システムにおいて、端末装置に表示させる映像表示画面の他の例を示す説明図である。
【図１２】図１２は、本実施の形態に係る住宅情報提供システムにおいて、端末装置に表示させるメンテナンス情報表示画面の一例を示す説明図である。
【図１３】図１３は、端末装置に表示させる部材のお手入れ方法画面の一例を示す説明図である。
【発明を実施するための形態】
【００２５】
以下、本発明の実施の形態について、図面を参照して説明する。ただし、以下に示す実施の形態は、本発明を具体化した一例であって、発明の技術的範囲を限定するものではない。
【００２６】
＜実施の形態＞
−全体構成の説明−
本実施の形態に係る住宅情報提供システム１は、図１に示すように、住宅を構成する部材の部材情報を管理する部材情報提供サーバー１０と、携帯電話機やＰＤＡ、ノートパソコン等の端末装置２０と、住宅内に設置されたエネルギーを消費する各部材のエネルギー消費量を管理するエネルギーマネジメント装置（本発明でいうエネルギー管理部）４０とを備える。端末装置２０と、部材情報提供サーバー１０と、エネルギーマネジメント装置４０とは、ＩＳＤＮやインターネットなどに代表されるネットワークＮを介して双方向に通信可能に接続されている。ネットワークＮには、複数の無線基地局ｎ１，ｎ２・・・が接続されており、端末装置２０から任意の無線基地局ｎ１，ｎ２・・・を経由して部材情報提供サーバー１０に接続することが可能とされている。さらに、ネットワークＮには、住宅を構成する各部材のメーカーが所有するサーバーであるメーカーサーバー８１，８２・・・が接続されており、端末装置２０と各メーカーサーバー８１，８２との間、及び、各メーカーサーバー８１，８２・・・と部材情報提供サーバー１０との間で双方向に通信することが可能とされている。
【００２７】
−部材情報提供サーバー１０の説明−
部材情報提供サーバー１０は、ＬＡＮ（Ｌｏｃａｌ  Ａｒｅａ Ｎｅｔｗｏｒｋ）を介して、住宅の設計図面を作成するためのＣＡＤ装置に接続されており、ウェブページ記憶部１１と、部材情報生成部１２とを有している。なお、部材情報提供サーバー１０と接続されたＣＡＤ装置３０には、各住宅について、その住宅の設計図、並びに、その住宅を構成する各部材の仕様（例えば、製造元、型番等）及び３次元座標位置に関するデータが記憶されている。
【００２８】
ウェブページ記憶部１１は、住宅を構成し得る各種の部材について、当該部材に関する情報を含むウェブページＷ（図１２参照）を記憶する。このウェブページ記憶部１１が記憶するウェブページＷには、部材に関する情報として、例えば、その部材の名称、製造元（メーカー）名、及び型番が示されている。さらに、このウェブページ記憶部１１が記憶するウェブページＷには、部材の製造元が提供するウェブページへのリンクが貼られている。例えば、ウェブページ記憶部１１が記憶するウェブページＷには、図１２に示すように、部材の製造元が所有するメーカーサーバー８１，８２・・・のウェブページに接続（リンク）するための問い合わせ先ボタンＬ１、製造元が所有するメーカーサーバー８１，８２・・・が提供する部材のお手入れ方法に関するウェブページに接続（リンク）するためのお手入れ方法ボタンＬ２、及び消耗品を購入するためのウェブページに接続（リンク）するための手配ボタンＬ３が設けられている。
【００２９】
また、部材情報生成部１２は、ＣＡＤ装置３０に設計図が記憶されている各住宅について、ＣＡＤ装置３０からデータを取得し、そのデータに基づいて、端末装置２０の後述する位置情報記憶部２５１に記憶される図２に示すような部材情報５０を生成する。この部材情報生成部１２は、次に示す方法により、部材情報５０を生成する。すなわち、ＣＡＤ装置３０から住宅を構成する各部材の仕様（名称、製造元、及び型番等）、並びに、それらの部材の３次元座標位置に関するデータを取得する。そして、取得した住宅を構成する各部材の３次元座標位置に関するデータが、住宅の敷地に建てられた建物内の１つの点を原点とするものである場合には、その取得した各部材の３次元座標位置に関するデータを、その住宅の敷地の角の１点を原点とするものに変換する。次いで、図２に示すように、住宅の居住空間が有する場所５１単位で、ＣＡＤ装置３０から取得した部材の名称５２、製造元名５４、型番５５、及び３次元座標位置５６に関するデータを配列する。そして、それら部材の各々と、当該部材に関する情報を含むウェブページ（ウェブページ記憶部１１に記憶されているウェブページ）のＵＲＬ５７とを関連付けて、図２に示すような部材情報５０の一覧を生成し、生成した部材情報５０の一覧を記憶する。なお、ＣＡＤ装置３０から取得した部材のうち、対応するウェブページＷがウェブページ記憶部１１に記憶されていない部材については、当該部材のウェブページを生成し、生成した部材のウェブページＷをウェブページ記憶部１１に記憶させる。
【００３０】
−エネルギーマネジメント装置４０の説明−
エネルギーマネジメント装置４０は、住宅内に設置されたエアコン、照明等のエネルギーを消費する部材のエネルギー消費量を管理するホームエネルギーマネジメントシステム（ＨＥＭＳ）を実現する装置である。このエネルギーマネジメント装置４０は、住宅内に設置され、ネットワークＮを介した端末装置２０と通信可能とされている。
【００３１】
このエネルギーマネジメント装置４０は、エネルギーを消費する部材と通信可能とされており、それらの部材が消費しているエネルギー量（エネルギー消費量）をリアルタイムで監視し、制御する。つまり、エネルギーマネジメント装置４０には、エネルギーを消費する部材のエネルギー消費量がリアルタイムで記憶されている。
【００３２】
このようなホームエネルギーマネジメントシステムを実現するエネルギーマネジメント装置４０は、従来、よく知られており、本実施の形態におけるエネルギーマネジメント装置４０は、周知の技術を用いて実現されている。
【００３３】
−端末装置２０の説明−
端末装置２０は、図３に示すように、主に、画面表示機能及びタッチパネル機能を有する表示部２１と、無線基地局ｎ１，ｎ２・・・に接続して通信を行う通信部２２と、被写体を撮影する撮影部２３と、撮影レンズ２３１の向きを検出する検出部２４と、所定のプログラム及びデータを記憶する記憶部２５と、各部の動作を制御する制御部２６とを備えている。
【００３４】
表示部２１は、画面表示を行うためのＬＣＤモジュール２１３及びＬＣＤコントローラ２１２と、画面にユーザがタッチする操作に反応し、ユーザの接触位置を検出するセンサモジュール２１４及び接触位置検出部２１１とを備えることにより、画面表示機能及びタッチパネル機能を実現したものである。すなわち、表示部２１は、制御部２６からのデータ及び制御信号をＬＣＤコントローラ２１２で受信し、制御部２６が指示する所定の画面をＬＣＤモジュール２１３に表示する。そして、ＬＣＤモジュール２１３に表示された画面をユーザがタッチすると、そのユーザのタッチ操作をセンサモジュール２１４で受付けて接触位置検出部２１１にて接触位置を検出し、その接触位置に対応する入力信号を制御部２６に送信する。
【００３５】
通信部２２は、任意の無線基地局ｎ１，ｎ２・・・を経由し、他の端末装置、及び、ネットワークＮに接続されたサーバーシステムと通信するためのモジュールである。
【００３６】
撮影部２３は、撮影レンズ２３１及び撮影素子２３２を有しており、これらの撮影レンズ２３１及び撮影素子２３２により被写体を撮影する構成とされている。撮影部２３は、被写体像を取得した撮影レンズ２３１が発する光を撮影素子２３２で電気信号に変換し、この電気信号を制御部２６に送信する。
【００３７】
検出部２４は、例えば、ジャイロセンサ、加速度センサ、又は電子コンパス等の各種の方位センサ２４１と、これら各種センサの検出情報を基に、端末装置２０の姿勢を検出して、撮影レンズ２３１の向きを検出し、その撮影レンズ２３１の向きに対応する入力信号を制御部２６に送信する向き検出部２４２とを有している。
【００３８】
記憶部２５は、住宅を構成する各部材について、その住宅の居住空間内における３次元座標位置を記憶する位置情報記憶部２５１を有している。本実施の形態において、位置情報記憶部２５１は、上記した部材情報提供サーバー１０の部材情報生成部１２により生成され、部材情報生成部１２に記憶された図２に示す部材情報５０を、通信部２２を介して受信し、記憶している。つまり、位置情報記憶部２５１は、図２に示すように、部材情報５０として、住宅の居住空間が有する場所５１毎に、その場所に設置されている各部材の名称５２、製造元名５４、型番５５、３次元座標位置５６、及び当該部材に関する情報を含むウェブページ（上述のウェブページ記憶部１１に記憶されている。）のＵＲＬ５７を記憶している。なお、記憶部２５は、位置情報記憶部２５１で記憶する情報以外に、各種のデータ及びプログラム、例えば、制御部２６に以下に示す住宅情報提供方法の各ステップを実行させるためのプログラム（住宅情報提供プログラム）、住宅を構成する各部屋の間取り図及び写真画像、並びに、表示部２１に表示する後述するアイコン画像等を記憶している。
【００３９】
制御部２６は、図３に示すように、記憶部２１に記憶された住宅情報提供プログラムを実行することにより、位置決定部２６１、取得部２６２、部材決定部２６３、第１表示制御部２６４、及び第２表示制御部２６５として機能する。
【００４０】
位置決定部２６１は、住宅の居住空間における端末装置２０の３次元座標位置、言い換えれば、端末装置２０を利用するユーザの３次元座標位置を決定する。本実施の形態における位置決定部２６１は、後述する図５のフローチャートに示す位置決定動作により、図７〜図９に示す画面６２，６３，６４を端末装置２０の表示部２１（ＬＣＤモジュール２１３）に順に表示させて、端末装置２０を利用するユーザに、自らの立ち位置として、居住空間内における１つの位置を選択させ、ユーザが選択した居住空間内における１つの位置をユーザの３次元座標位置として決定する。
【００４１】
取得部２６２は、位置決定部２６１によりユーザの居住空間における３次元座標位置が決定され、撮影部２３により被写体の撮影が実施されると、撮影部２３から送信された電気信号を受信して、撮影部２３が撮影した被写体の画像を取得する。さらに、検出部２４から送信された入力信号を受信して、撮影部２３がその被写体を撮影した時の撮影レンズ２３１の向き（即ち、撮影方向）を取得する。
【００４２】
部材決定部２６３は、取得部２６２により画像及び撮影方向が取得されると、位置決定部２６１が決定したユーザの３次元座標位置から取得部２６２が取得した撮影方向に撮影レンズ２３１を向けて撮影部２３が住宅の居住空間を撮影したと仮定し、撮影部２３が撮影した居住空間の範囲を決定する。すなわち、位置決定部２６１が決定したユーザの３次元座標位置に撮影レンズ２３１があると仮定し、取得部２６２が取得した撮影方向（撮影レンズの向き）と、撮影レンズ２３１の水平方向視野角及び垂直方向視野角とに基づいて、撮影部２３が撮影した居住空間の範囲を決定する。そして、決定した居住空間の範囲内に存在する部材を、位置情報記憶部２５１に記憶されている各部材の３次元座標位置（図２の符号５６参照）に基づいて決定する。さらに、決定した部材について、その表示部２１への表示位置を決定する。具体的には、位置決定部２６１が決定したユーザの３次元座標位置を原点とした座標空間に、決定した部材を配置したと仮定し、その原点を中心点として撮影レンズ２３１の水平方向視野角及び垂直方向視野角、取得部２６２が取得した映像のサイズ、並びに、位置情報記憶部２５１に記憶されている部材の３次元座標位置（図２の符号５６参照）に基づいて、原点から所定距離に定まる矩形平面に部材を投影する処理を行い、投影された位置を表示位置とする。
【００４３】
また、第１表示制御部２６４は、部材決定部２６３で部材及びその部材の表示位置が決定されると、図１０及び図１１に示すような映像表示画面６５，６６を表示部２１（ＬＣＤモジュール２１３）に表示させる。この映像表示画面６５，６６では、取得部２６２が取得した映像に重ねて、部材決定部２６３が決定した各部材を表すアイコンＩ１，Ｉ２，Ｉ３，Ｉ４（決定した部材の名称が付記されたアイコンＩ１，Ｉ２，Ｉ３，Ｉ４）を、部材決定部２６３が決定した表示位置に表示する。ここで、部材決定部２６３が決定した部材が、例えば、照明又はエアコン等といったエネルギーを消費する部材である場合には、その部材の現在のエネルギー消費量をエネルギーマネジメント装置４０から取得し、取得したエネルギー消費量を、図１０の映像表示画面６５に示すように、その部材を表すアイコンＩ１，Ｉ２に付記して表示する。このようなエネルギー消費量の表示により、ユーザは、照明又はエアコン等といったエネルギーを消費する部材のエネルギー消費量をリアルタイムで知ることができる。
【００４４】
さらに、第２表示制御部２６５は、表示部２１から映像表示画面６５，６６でユーザがタッチした箇所（接触位置）を示す入力信号を受信し、この入力信号を基に、映像表示画面６５，６６上で、ユーザが選択したアイコンを認識する。そして、その認識したアイコンで表される部材と関連付けて位置情報記憶部２５１に記憶されているＵＲＬ（図２の符号５７参照）が示す部材情報提供サーバー１０（ウェブページ記憶部１１）のウェブページＷに通信部２２を介して接続し、その接続先のウェブページＷを表示部２１（ＬＣＤモジュール２１３）に表示させる（図１２参照）。
【００４５】
このような本実施の形態に係る住宅情報提供システムでは、端末装置２０（撮影部２３）で部材を被写体とする撮影を行うと、その部材の映像に重ねて、その部材の名称を付したアイコンＩ１，Ｉ２，Ｉ３，Ｉ４が端末装置２０（表示部２１）に表示される（図１０及び図１１参照）。このとき、撮影した部材がエネルギーを消費する部材であるときには、アイコンＩ１，Ｉ２と対応させてエネルギー消費量が端末装置２０（表示部２１）に表示される。さらに、そのアイコンＩ１，Ｉ２，Ｉ３，Ｉ４をタッチ（選択）すれば部材に関する情報を含むウェブページＷが端末装置２０（表示部２１）に表示される（図１２参照）。そして、このウェブページＷに設けられた問い合わせ先ボタンＬ１，お手入れ方法Ｌ２，消耗品の手配ボタンＬ３をタッチすれば、撮影した部材について、さらに詳しい情報が端末装置２０（表示部２１）に表示される（図１３参照）。このため、実施の形態に係る住宅情報提供システムによれば、住宅の居住者（ユーザ）は、端末装置２０（撮影部２３）で部材を撮影するだけで簡単に、住宅を構成する複数の部材の中から１つの部材を選択することができ、容易に、その部材の情報を得ることができる。
【００４６】
−住宅情報提供方法の動作の説明−
次に、本実施の形態に係る住宅情報提供システム１により実行される住宅情報提供方法の具体的な処理の流れについて、図４及び図５に示すフローチャートを参照して説明する。
【００４７】
本実施の形態に係る住宅情報提供方法の動作は、表示部２１（ＬＣＤモジュール２１３）に表示された図６に示すような起動画面６１を、ユーザがタッチすることにより開始される。具体的には、端末装置２０の制御部２６が、起動画面６１でユーザがタッチした箇所（接触位置）に関する入力信号を表示部２１から受信すると、図４のフローチャートに示す住宅情報提供方法の動作を開始して、位置決定部２６１が、ユーザの３次元座標位置を決定する（ステップＳ１：位置決定ステップ）。
【００４８】
具体的には、位置決定部２６１が、図５のフローチャートに示す位置決定処理を開始し、住宅が有する複数のフロアの中から１つのフロアをユーザに選択させるためのフロア選択画面６２（図７参照）を、表示部２１（ＬＣＤモジュール２１３）に表示させる（ステップＳ１１）。なお、このフロア選択画面６２は、住宅が有する各フロアの画像を表示させることができるように構成されており、ユーザは、このフロア選択画面６２で、１つのフロアの画像をタッチすることにより、所望のフロアを選択することができる。
【００４９】
次いで、位置決定部２６１は、ユーザがフロアを選択したか否かを判断する（ステップＳ１２）。具体的には、フロア選択画面６２でユーザがタッチした箇所（即ち、接触位置）に関する入力信号を表示部２１から受信したか否かを判断する。表示部２１から接触位置に関する入力信号を受信していない場合には、未だフロアが選択されていないと判断して（即ち、ステップＳ１２でＮＯと判断して）、接触位置に関する入力信号を受信するまで、ステップＳ１２の処理を繰り返す。一方、表示部２１から接触位置に関する入力信号を受信した場合には、フロアの選択が有ったと判断して（即ち、ステップＳ１２でＹＥＳと判断して）、ステップＳ１３の処理に移行する。
【００５０】
ステップＳ１３では、位置決定部２６１が、表示部２１から受信した接触位置に関する入力信号を基に、ユーザが選択したフロアを把握し、このフロアにある複数の部屋の中から、１つの部屋をユーザに選択させるための部屋選択画面６３（図８参照）を表示部２１（ＬＣＤモジュール２１３）に表示させる。なお、この部屋選択画面６３は、住宅が有する各部屋の画像を表示させることができるように構成されており、ユーザは、この部屋選択画面６３で、１つの部屋の画像をタッチすることにより、所望の部屋を選択することができる。
【００５１】
次いで、位置決定部２６１は、ユーザが部屋を選択したか否かを判断する（ステップＳ１４）。具体的には、部屋選択画面６３でユーザがタッチした箇所（即ち、接触位置）に関する入力信号を表示部２１から受信したか否かを判断する。表示部２１から接触位置に関する入力信号を受信していない場合には、未だ部屋が選択されていないと判断して（即ち、ステップＳ１４でＮＯと判断して）、接触位置に関する入力信号を受信するまで、ステップＳ１４の処理を繰り返す。一方、表示部２１から接触位置に関する入力信号を受信した場合には、部屋の選択が有ったと判断して（即ち、ステップＳ１４でＹＥＳと判断して）、ステップＳ１５の処理に移行する。
【００５２】
ステップＳ１５において、位置決定部２６１は、表示部２１から受信した接触位置に関する入力信号を基に、ユーザが選択した部屋を把握し、この部屋内の１つの位置をユーザに選択させるための位置設定画面６４（図９参照）を表示部２１に表示させる。なお、この位置設定画面６４には、ユーザが選択した部屋の間取り図６４１が表示されており、ユーザは、この位置設定画面６４に表示された間取り図６４１内の１つの位置をタッチすることにより、タッチした１つの位置を自らの立ち位置として選択することができる。
【００５３】
次いで、位置決定部２６１は、ユーザが自らの立ち位置を選択したか否かを判断する（ステップＳ１６）。具体的には、位置設定画面６４でユーザがタッチした箇所（即ち、接触位置）に関する入力信号を表示部２１から受信したか否かを判断する。表示部２１から接触位置に関する入力信号を受信していない場合には、未だ立ち位置が選択されていないと判断して（即ち、ステップＳ１６でＮＯと判断して）、接触位置に関する入力信号を受信するまで、ステップＳ１６の処理を繰り返す。一方、表示部２１から接触位置に関する入力信号を受信した場合には、立ち位置の選択が有ったと判断して（即ち、ステップＳ１６でＹＥＳと判断して）、ステップＳ１７の処理に移行する。
【００５４】
ステップＳ１７では、位置決定部２６１が、表示部２１から受信した接触位置に関する入力信号を基に、ユーザの居住空間における３次元座標位置を決定し、位置決定動作を終了する。ここで、ユーザの２次元方向の位置座標（Ｘ及びＹ座標）は、表示部２１から受信した接触位置（２次元の間取り図６４１においてユーザがタッチした位置）を基に求められ、高さ方向の位置座標（Ｚ座標）は、ユーザの身長を１６００ｍｍと仮定して、１６００ｍｍに固定される。なお、Ｚ座標は、予め端末装置２０に記憶されたユーザの身長とされてもよい。
【００５５】
ユーザの居住空間における３次元座標位置を決定したら、図４のフローチャートに示すように、上記した位置決定部２６１によるユーザの３次元座標位置の決定後に、撮影部２３で撮影が行われたか否かを判断する（ステップＳ２）。具体的には、位置決定部２６１によるユーザの３次元座標位置の決定後に、撮影部２３から電気信号を受信したか否かを判断する。位置決定部２６１によるユーザの３次元座標位置の決定後に、撮影部２３から未だ電気信号を受信していない場合には、未だ、撮影部２３で撮影が行われていないと判断して（ステップＳ２でＮＯと判断して）、撮影部２３から電気信号を受信するまで、ステップＳ２の処理を繰り返す。一方、位置決定部２６１によるユーザの３次元座標位置の決定後に、撮影部２３から電気信号を受信した場合には、ステップＳ３（取得ステップ）の処理に移行する。
【００５６】
ステップＳ３では、取得部２６２が、撮影部２３から送信された電気信号を基に、撮影部２３が撮影した被写体の画像を作成する。さらに、検出部２４から送信された入力信号を受信して、撮影部２３が居住空間を撮影した時の撮影レンズ２３１の向き（即ち、撮影方向）を決定する。そして、ステップＳ４（部材決定ステップ）の処理に移行する。
【００５７】
ステップＳ４では、部材決定部２６３が、上記した通り、ステップＳ１で決定したユーザの３次元座標位置から、ステップＳ３で取得した撮影方向に撮影レンズ２３１を向けて撮影部２３が居住空間を撮影したと仮定して、撮影部２３により撮影され得る居住空間の範囲内に存在する部材及びその部材の表示部２１への表示位置を、位置情報記憶部２５１に記憶されている各部材の３次元座標位置に基づいて決定する。そして、ステップＳ５（第１表示制御ステップ）の処理に移行する。
【００５８】
ステップＳ５では、第１表示制御部２６４が、図１０及び図１１の映像表示画面６５，６６に示すように、ステップＳ３で取得した映像を表示部２１（ＬＣＤモジュール２１３）に表示させるとともに、ステップＳ４で決定した各部材について、当該部材を表すアイコン（当該部材の名称を付記したアイコン）I１，Ｉ２，Ｉ３，Ｉ４を、映像に重ねて、当該部材の表示位置に表示する。この際、ステップ４が決定した部材が、例えば、照明又はエアコン等といったエネルギーを消費する部材である場合には、その部材の現在のエネルギー消費量をエネルギーマネジメント装置４０から取得し、取得したエネルギー消費量を、図１０の映像表示画面６５に示すように、その部材を表すアイコンＩ１，Ｉ２に付記して表示する。そして、ステップＳ６の処理に移行する。
【００５９】
ステップＳ６では、本住宅情報提供方法の動作を終了するか否かを判断する。具体的には、映像表示画面６５，６６又は後述する図１２に示すメンテナンス情報画面６７でユーザがタッチした箇所（即ち、接触位置）に関する入力信号を表示部２１から受信したか否かを判断し、その受信した入力信号が映像表示画面６５，６６又はメンテナンス情報表示画面６７上の終了ボタンＥをユーザがタッチしたことを示すものである場合には、本住宅情報提供方法の動作を終了すると判断して（即ち、ステップＳ６でＹＥＳと判断して）、本住宅情報提供方法の動作を終了する。一方、映像表示画面６５，６６又はメンテナンス情報表示画面６７でユーザがタッチした箇所（即ち、接触位置）に関する入力信号を表示部２１から受信していない場合、又は、その受信した入力信号が映像表示画面６５，６６又はメンテナンス情報表示画面６７上の終了ボタンＥをユーザがタッチしたことを示すものではない場合には、本住宅情報提供方法の動作を継続すると判断して（即ち、ステップＳ６でＮＯと判断して）、ステップＳ７（第２表示制御ステップ）の処理に移行する。
【００６０】
ステップＳ７では、映像表示画面６５，６６上に表示された１つのアイコンＩ１，Ｉ２，Ｉ３，Ｉ４が選択されたか否かを判断する。具体的には、映像表示画面６５，６６上でユーザがタッチした箇所（即ち、接触位置）に関する入力信号を表示部２１から受信したか否かを判断し、その受信した入力信号が映像表示画面６５，６６上のアイコンＩ１，Ｉ２，Ｉ３，Ｉ４をユーザがタッチしたことを示すものである場合には、ユーザが１つのアイコンを選択したと判断して（即ち、ステップＳ７でＹＥＳと判断して）、ステップＳ８の処理に移行する。一方、映像表示画面６５，６６でユーザがタッチした箇所（即ち、接触位置）に関する入力信号を表示部２１から受信していない場合、又は、その受信した入力信号が映像表示画面６５，６６上のアイコンＩ１，Ｉ２，Ｉ３，Ｉ４をユーザがタッチしたことを示すものではない場合には、ユーザは１つのアイコンを選択していないと判断して（即ち、ステップＳ７でＮＯと判断して）ステップＳ９の処理に移行する。
【００６１】
ステップＳ８では、第２表示制御部２６５が、表示部２１から受信した入力信号を基に、映像表示画面６５，６６上でユーザが選択したアイコンＩ１，Ｉ２，Ｉ３，Ｉ４を認識し、認識したアイコンＩ１，Ｉ２，Ｉ３，Ｉ４で表される部材と関連付けて位置情報記憶部２５１に記憶されているＵＲＬ（図２の符号５７参照）が示す部材情報提供サーバー１０（ウェブページ記憶部１１）のウェブページＷに通信部２２を介して接続する。そして、その接続先のウェブページＷを含むメンテナンス情報表示画面６７を表示部２１（ＬＣＤモジュール２１３）に表示させる（図１２参照）。そして、処理をステップＳ９に移行する。
【００６２】
なお、このメンテナンス情報表示画面６７に表示されるウェブページＷには、上述した通り、部材の製造元（メーカー）名、型番が示されるとともに、例えば、部材の問い合わせボタンＬ１、お手入れ方法ボタンＬ２，消耗品の手配ボタンＬ３が備えられている。このメンテナンス情報表示画面６７において、ユーザがウェブページＷの問い合わせボタンＬ１をタッチすると、制御部２６は、その部材の製造元が所有するメーカーサーバー８１，８２・・・に接続し、そのメーカーサーバー８１，８２に記憶されている製造元に関する情報を含むウェブページを表示部２１（ＬＣＤモジュール２１３）に表示させる。また、ユーザがウェブページＷのお手入れ方法ボタンＬ２をタッチすると、制御部２６は、その部材の製造元が所有するメーカーサーバー８１，８２・・・に接続し、図１３に示すように、そのメーカーサーバー８１，８２に記憶されている当該部材のお手入れ方法に関するウェブページ（お手入れ方法画面６８）を表示部２１に表示させる。さらに、ユーザがウェブページＷの消耗品の手配ボタンＬ３をタッチすると、制御部２６は、その部材の製造元が所有するメーカーサーバー８１，８２・・・に接続し、そのメーカーサーバー８１，８２に記憶されている当該部材の消耗品の購入に関するウェブページを表示部２１に表示させる。
【００６３】
ステップＳ９では、撮影部２３で新たな撮影が行われたか否かを判断する。具体的には、撮影部２３から新たに電気信号を受信したか否かを判断する。撮影部２３から新たに電気信号を受信した場合には、撮影部２３で新たな撮影が行われたと判断して（即ち、ステップＳ９でＹＥＳと判断して）、上述のステップＳ３の処理に移行し、取得部２６２による映像及び撮影方向の取得を行う。一方、撮影部２３から新たに電気信号を受信していない場合には、撮影部２３で新たな撮影は行われていないと判断して上述のステップＳ６の処理に移行して、本住宅情報提供方法の動作を終了するか否かの判断を行う。
【００６４】
このような、本実施の形態に係る住宅情報提供方法は、ＣＰＵ等で構成されるコンピュータ（端末装置２０の制御部２６）に本実施の形態に係る住宅情報提供方法の各ステップを実行させる住宅情報提供プログラムにより実現される。上述した各ステップ（住宅情報提供方法）を実行する住宅情報提供プログラムは、適宜の記憶装置（例えばコンピュータが内蔵する記憶装置またはコンピュータに接続された外部記憶装置）を介して適宜の記録媒体に格納することが可能である。
【００６５】
なお、記録媒体としては、マスクＲＯＭ、フラッシュＲＯＭといった半導体装置、ハードディスク、フレキシブルディスク、ＭＯディスク、ＣＤ―ＲＯＭ、ＤＶＤ―ＲＯＭ、ＢＤ―ＲＯＭ、光磁気ディスク、ＩＣカード、磁気テープなどを設置することができ、コンピュータプログラムを記録することが可能であればどのような他の記録媒体であっても良い。
【００６６】
また、住宅情報提供プログラムそのものを通信により伝送して送信先の記録媒体に記録することも可能である。
【００６７】
なお、上記した実施の形態では、位置決定部２６１が、図５のフローチャートに示す位置決定動作を実行することにより、居住空間内におけるユーザの３次元座標位置を決定する構成とされているが、本発明の住宅情報提供システムにおける位置決定部は、このような構成に限定されない。例えば、位置決定部は、複数のＧＰＳ（Ｇｌｏｂａｌ  Ｐｏｓｉｔｉｏｎｉｎｇ  Ｓｙｓｔｅｍ）衛星からの電波を受信して、現在の端末装置２０の位置情報を求め、求めた端末装置２０の位置情報を居住空間内におけるユーザの３次元座標位置として決定するものであってもよい。或いは、位置決定部は、住宅内に配置されたユーザの位置検出器からの位置検出情報を基に、ユーザの３次元座標位置を決定するものであってもよい。同様に、本発明の住宅情報提供方法において、位置決定ステップでは、図５のフローチャートに示す位置決定動作によりユーザの３次元位置情報を決定することに限定されず、例えば、上記したようなＣＰＳ衛星からの情報に基づいて、現在の端末装置２０の位置情報を求め、求めた端末装置２０の位置情報を居住空間内におけるユーザの３次元座標位置として決定してもよく、或いは、住宅内に配置されたユーザの位置検出器からの位置検出情報を基に、ユーザの３次元座標位置を決定してもよい。このように、ＧＰＳ衛星からの情報、又は、住宅内に配置されたユーザの位置検出器からの情報に基づいて、ユーザの３次元座標位置を決定する場合には、図７〜図９に示すような画面を端末装置２０の表示部２１に表示して、ユーザに自らの位置を設定させる必要がなくなる。つまり、ユーザは、より簡単な操作で、部材に関する情報を得ることができる。
【００６８】
本発明は、その精神または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【符号の説明】
【００６９】
１    住宅情報提供システム
１０  部材情報提供サーバー
１１  ウェブページ記憶部
１２  部材情報生成部
２０  端末装置
２１  表示部
２１１  接触位置検出部
２１２  ＬＣＤコントローラ
２１３  ＬＣＤモジュール
２１４  センサモジュール
２２  通信部
２３  撮影部
２３１  撮影レンズ
２３２  撮影素子
２４  検出部
２４１  方位センサ
２４２  向き検出部
２５  記憶部
２５１  位置情報記憶部
２６  制御部
２６１  位置決定部
２６２  取得部
２６３  部材決定部
２６４  第１表示制御部
２６５  第２表示制御部
３０  ＣＡＤ装置
４０  エネルギーマネジメント装置（エネルギー管理部）
５０  部材情報
５１  場所
５２  部材名
５４  製造元名
５５  型番
５６  ３次元座標位置
５７  ＵＲＬ
６１  起動画面
６２  フロア選択画面
６３  部屋選択画面
６４  位置設定画面
６４１  見取り図
６５，６６  映像表示画面
６７  メンテナンス情報表示画面
６８  お手入れ方法画面
８１，８２・・・  メーカーサーバー
Ｅ  終了ボタン
Ｉ１，Ｉ２，Ｉ３，Ｉ４  アイコン
Ｌ１  お問い合わせ先ボタン
Ｌ２  お手入れ方法ボタン
Ｌ３  消耗品の手配ボタン
Ｎ  ネットワーク
ｎ１，ｎ２・・・  無線基地局
【図１】
0005630398.tif 000002
【図２】
0005630398.tif 000003
【図３】
0005630398.tif 000004
【図４】
0005630398.tif 000005
【図５】
0005630398.tif 000006
【図６】
0005630398.tif 000007
【図７】
0005630398.tif 000008
【図８】
0005630398.tif 000009
【図９】
0005630398.tif 000010
【図１０】
0005630398.tif 000011
【図１１】
0005630398.tif 000012
【図１２】
0005630398.tif 000013
【図１３】
0005630398.tif 000014